(57)【要約】【課題】頭文字を利用し、より細かなレベルでインデックスを選択することが可能な表示装置を提供する。【解決手段】表示装置において、複数の項目と、複数の第１頭文字情報を含む第１選択領域とが表示部に表示される。また、表示部に対する外部からの接触が検知部により検知される。表示部は、第１選択領域内の一の第１頭文字情報の領域への接触が検知された場合に、当該第１頭文字情報よりも詳細な複数の第２頭文字情報のうち一の第２頭文字情報を含む第２選択領域を表示するとともに、第２選択領域への接触に基づいて選択された一の第２頭文字情報に該当する頭文字を有する項目を表示する。【選択図】図２
2017156833.tif 000002
【特許請求の範囲】
【請求項１】
複数の項目と、複数の第１頭文字情報を含む第１選択領域とを表示する表示部と、
前記表示部に対する外部からの接触を検知する検知部と、を備え、
前記表示部は、前記第１選択領域内の一の第１頭文字情報の領域への接触が検知された場合に、当該第１頭文字情報よりも詳細な複数の第２頭文字情報のうち一の第２頭文字情報を含む第２選択領域を表示し、前記第２選択領域への接触に基づいて選択された一の第２頭文字情報に該当する頭文字を有する項目を表示することを特徴とする表示装置。
【請求項２】
前記表示部は、前記複数の項目のうち一の項目の領域に対する一定時間以上の接触が検知された場合、当該一の項目が有する頭文字に該当する第２頭文字情報を前記第２選択領域に表示することを特徴とする請求項１に記載の表示装置。
【請求項３】
前記表示部は、前記第２選択領域への接触に基づいて選択された前記一の第２頭文字情報に該当する頭文字を含む項目が前記複数の項目中に存在しない場合、表示中の前記複数の項目を変更しないことを特徴とする請求項１又は２に記載の表示装置。
【請求項４】
前記表示部は、前記第１選択領域に含まれる一の第１頭文字情報に対する一定時間以上の接触が検知された場合、前記第２選択領域に含まれる前記第２頭文字情報を順に変更することを特徴とする請求項１乃至３のいずれか一項に記載の表示装置。
【請求項５】
前記表示部は、前記接触により、表示中の複数の項目のうちの一の項目が選択された場合、前記第２選択領域の表示を終了することを特徴とする請求項１乃至４のいずれか一項に記載の表示装置。
【請求項６】
前記表示部は、前記複数の項目を表示した領域に対する接触により表示中の複数の項目が変更された場合、前記第２選択領域の表示を終了することを特徴とする請求項１乃至５のいずれか一項に記載の表示装置。
【請求項７】
表示部を有する表示装置により実行される表示方法であって、
複数の項目と、複数の第１頭文字情報を含む第１選択領域とを前記表示部に表示する表示工程と、
前記表示部に対する外部からの接触を検知する検知工程と、を備え、
前記表示工程は、前記第１選択領域内の一の第１頭文字情報の領域への接触が検知された場合に、当該第１頭文字情報よりも詳細な複数の第２頭文字情報のうち一の第２頭文字情報を含む第２選択領域を表示し、前記第２選択領域への接触に基づいて選択された一の第２頭文字情報に該当する頭文字を有する項目を表示することを特徴とする表示方法。
【請求項８】
表示部及びコンピュータを備える表示装置により実行されるプログラムであって、
複数の項目と、複数の第１頭文字情報を含む第１選択領域とを前記表示部に表示する表示手段、
前記表示部に対する外部からの接触を検知する検知手段、
として前記コンピュータを機能させ、
前記表示手段は、前記第１選択領域内の一の第１頭文字情報の領域への接触が検知された場合に、当該第１頭文字情報よりも詳細な複数の第２頭文字情報のうち一の第２頭文字情報を含む第２選択領域を表示し、前記第２選択領域への接触に基づいて選択された一の第２頭文字情報に該当する頭文字を有する項目を表示することを特徴とするプログラム。
【請求項９】
請求項８に記載のプログラムを記憶したことを特徴とする記憶媒体。
【発明の詳細な説明】
【技術分野】
【０００１】
本発明は、表示装置における表示方法に関する。
【背景技術】
【０００２】
表示装置に各種の項目のリストを表示する際に、インデックスを表示することが行われる。特許文献１の情報処理装置では、予め定めたインデックスのうち、データベースに登録されているデータに対応するインデックスのみを抽出してインデックス表示領域５０に表示する。さらに、リスト表示領域４２に表示されている宛先に対応するインデックスは表示しないようにする。また、使用頻度の高い宛先や使用回数の多い宛先名の頭文字に対応するインデックスは常に表示するようにしている。
【先行技術文献】
【特許文献】
【０００３】
【特許文献１】特開２０１３−８８８３３号公報
【発明の概要】
【発明が解決しようとする課題】
【０００４】
特許文献１の手法では、表示するインデックスが多くなった場合に、細かなインデックスの選択ができなくなるという課題がある。
【０００５】
本発明の解決しようとする課題としては、上記のものが一例として挙げられる。本発明は、頭文字を利用し、より細かなレベルでインデックスを選択することが可能な表示装置を提供することを目的とする。
【課題を解決するための手段】
【０００６】
請求項１に記載の発明は、表示装置であって、複数の項目と、複数の第１頭文字情報を含む第１選択領域とを表示する表示部と、前記表示部に対する外部からの接触を検知する検知部と、を備え、前記表示部は、前記第１選択領域内の一の第１頭文字情報の領域への接触が検知された場合に、当該第１頭文字情報よりも詳細な複数の第２頭文字情報のうち一の第２頭文字情報を含む第２選択領域を表示し、前記第２選択領域への接触に基づいて選択された一の第２頭文字情報に該当する頭文字を有する項目を表示することを特徴とする。
【０００７】
請求項７に記載の発明は、表示部を有する表示装置により実行される表示方法であって、複数の項目と、複数の第１頭文字情報を含む第１選択領域とを前記表示部に表示する表示工程と、前記表示部に対する外部からの接触を検知する検知工程と、を備え、前記表示工程は、前記第１選択領域内の一の第１頭文字情報の領域への接触が検知された場合に、当該第１頭文字情報よりも詳細な複数の第２頭文字情報のうち一の第２頭文字情報を含む第２選択領域を表示し、前記第２選択領域への接触に基づいて選択された一の第２頭文字情報に該当する頭文字を有する項目を表示することを特徴とする。
【０００８】
請求項８に記載の発明は、表示部及びコンピュータを備える表示装置により実行されるプログラムであって、複数の項目と、複数の第１頭文字情報を含む第１選択領域とを前記表示部に表示する表示手段、前記表示部に対する外部からの接触を検知する検知手段、として前記コンピュータを機能させ、前記表示手段は、前記第１選択領域内の一の第１頭文字情報の領域への接触が検知された場合に、当該第１頭文字情報よりも詳細な複数の第２頭文字情報のうち一の第２頭文字情報を含む第２選択領域を表示し、前記第２選択領域への接触に基づいて選択された一の第２頭文字情報に該当する頭文字を有する項目を表示することを特徴とする。
【図面の簡単な説明】
【０００９】
【図１】実施例に係る表示装置の外観及び内部構成を示す。
【図２】表示装置による表示例を示す。
【図３】表示装置による他の表示例を示す。
【図４】表示装置による他の表示例を示す。
【図５】表示装置による他の表示例を示す。
【図６】表示処理のフローチャートである。
【発明を実施するための形態】
【００１０】
本発明の１つの好適な実施形態では、表示装置は、複数の項目と、複数の第１頭文字情報を含む第１選択領域とを表示する表示部と、前記表示部に対する外部からの接触を検知する検知部と、を備え、前記表示部は、前記第１選択領域内の一の第１頭文字情報の領域への接触が検知された場合に、当該第１頭文字情報よりも詳細な複数の第２頭文字情報のうち一の第２頭文字情報を含む第２選択領域を表示し、前記第２選択領域への接触に基づいて選択された一の第２頭文字情報に該当する頭文字を有する項目を表示する。
【００１１】
上記の表示装置では、複数の項目と、複数の第１頭文字情報を含む第１選択領域とが表示部に表示される。また、表示部に対する外部からの接触が検知部により検知される。表示部は、第１選択領域内の一の第１頭文字情報の領域への接触が検知された場合に、当該第１頭文字情報よりも詳細な複数の第２頭文字情報のうち一の第２頭文字情報を含む第２選択領域を表示するとともに、第２選択領域への接触に基づいて選択された一の第２頭文字情報に該当する頭文字を有する項目を表示する。この表示装置によれば、ユーザが第１選択領域内のいずれかの第１頭文字情報に接触すると、それよりも詳細な複数の第２頭文字情報のうちの一の第２頭文字情報を含む第２選択領域が表示される。ユーザは、第２選択領域への接触により、所望の項目を表示させることができる。
【００１２】
上記の表示装置の一態様では、前記表示部は、前記複数の項目のうち一の項目の領域に対する一定時間以上の接触が検知された場合、当該一の項目が有する頭文字に該当する第２頭文字情報を前記第２選択領域に表示する。この態様では、表示部に表示された複数の項目のいずれかを長押しすることによっても、第２頭文字情報を含む第２選択領域を表示させることができる。
【００１３】
上記の表示装置の他の一態様では、前記表示部は、前記第２選択領域への接触に基づいて選択された前記一の第２頭文字情報に該当する頭文字を含む項目が前記複数の項目中に存在しない場合、表示中の前記複数の項目を変更しない。
【００１４】
上記の表示装置の他の一態様では、前記表示部は、前記第１選択領域に含まれる一の第１頭文字情報に対する一定時間以上の接触が検知された場合、前記第２選択領域に含まれる前記第２頭文字情報を順に変更する。この態様では、第１選択領域に含まれる第１頭文字情報に接触した後、一定時間以上その接触を継続することにより、第２選択領域に含まれる第２頭文字情報を順に変更させることができる。
【００１５】
上記の表示装置の他の一態様では、前記表示部は、前記接触により、表示中の複数の項目のうちの一の項目が選択された場合、前記第２選択領域の表示を終了する。この態様では、表示中の複数の項目のうち一の項目が選択されたときには、第２選択領域は不要となるので、第２選択領域の表示を終了する。
【００１６】
上記の表示装置の他の一態様では、前記表示部は、前記複数の項目を表示した領域に対する接触により表示中の複数の項目が変更された場合、前記第２選択領域の表示を終了する。この態様では、ユーザが複数の項目を表示した領域に直接接触して表示中の項目を変更した場合には、第２選択領域は不要となるので、第２選択領域の表示を終了する。
【００１７】
本発明の他の好適な実施形態では、表示部を有する表示装置により実行される表示方法は、複数の項目と、複数の第１頭文字情報を含む第１選択領域とを前記表示部に表示する表示工程と、前記表示部に対する外部からの接触を検知する検知工程と、を備え、前記表示工程は、前記第１選択領域内の一の第１頭文字情報の領域への接触が検知された場合に、当該第１頭文字情報よりも詳細な複数の第２頭文字情報のうち一の第２頭文字情報を含む第２選択領域を表示し、前記第２選択領域への接触に基づいて選択された一の第２頭文字情報に該当する頭文字を有する項目を表示する。この表示装置によっても、ユーザが第１選択領域内のいずれかの第１頭文字情報に接触すると、それよりも詳細な複数の第２頭文字情報のうちの一の第２頭文字情報を含む第２選択領域が表示される。ユーザは、第２選択領域への接触により、所望の項目を表示させることができる。
【００１８】
本発明の他の好適な実施形態では、表示部及びコンピュータを備える表示装置により実行されるプログラムは、複数の項目と、複数の第１頭文字情報を含む第１選択領域とを前記表示部に表示する表示手段、前記表示部に対する外部からの接触を検知する検知手段、として前記コンピュータを機能させ、前記表示手段は、前記第１選択領域内の一の第１頭文字情報の領域への接触が検知された場合に、当該第１頭文字情報よりも詳細な複数の第２頭文字情報のうち一の第２頭文字情報を含む第２選択領域を表示し、前記第２選択領域への接触に基づいて選択された一の第２頭文字情報に該当する頭文字を有する項目を表示する。このプログラムを実行することにより、ユーザが第１選択領域内のいずれかの第１頭文字情報に接触すると、それよりも詳細な複数の第２頭文字情報のうちの一の第２頭文字情報を含む第２選択領域が表示される。ユーザは、第２選択領域への接触により、所望の項目を表示させることができる。このプログラムは、記憶媒体に記憶して取り扱うことができる。
【実施例】
【００１９】
以下、図面を参照して本発明の好適な実施例について説明する。
［装置構成］
図１（Ａ）は実施例に係る表示装置の外観を示す。表示装置１０は、入力装置としてタッチパネルを備えるものであり、本実施例ではスマートフォンとする。表示装置１０の他の例としては、タブレット型端末、カーナビゲーション装置などが挙げられる。
【００２０】
図１（Ｂ）は、表示装置１０の内部構成を示すブロック図である。表示装置１０は、ＣＰＵ１１と、ＲＡＭ１２と、ＲＯＭ１３と、表示部１４と、入力部１５とを備える。ＲＯＭ１３は、各種のアプリケーションのプログラムを記憶する。ＣＰＵ１１は、ＲＯＭ１３に記憶されているプログラムを実行することにより、各種のアプリケーション（以下、「アプリ」とも呼ぶ。）を実行する。ＲＡＭ１２は、ＣＰＵ１１が各種の処理を行う際の作業メモリとして機能する。なお、ＣＰＵ１１は本発明の検知部、表示手段、検知手段の一例である。
【００２１】
表示部１４は、液晶ディスプレイなどであり、アプリケーションの実行中に各種の表示内容が表示される。入力部１５は、表示部１４の上に重ねて配置されたタッチパネルであり、アプリケーションの起動や実行の際にユーザにより操作入力がなされる。
【００２２】
［インデックス部の表示］
（メインインデックス部）
次に、実施例におけるインデックスの表示について説明する。図２（Ａ）は、表示装置１０においてナビゲーションアプリを実行し、目的地を住所検索により設定している場合の表示装置１０の表示画面の例を示す。なお、表示装置１０は横長に配置されている。表示画面２０には、リスト表示部２１と、メインインデックス部２３とが表示されている。リスト表示部２１は、複数の項目２２を含むリストを表示する領域である。本例では、ユーザにより選択されるべき項目２２である都道府県を、その頭文字によって５０音順に並べたものが表示されている。ユーザは、リスト表示部２１に表示されている項目２２の領域を指やタッチペンなどで押す、即ちその領域に接触（タッチ）することにより、希望する都道府県を選択することができる。
【００２３】
メインインデックス部２３は、リスト表示部２１に表示された項目２２を検索する際に使用されるインデックス（見出し、索引）であり、５０音を「あ行」、「か行」などの行ごとに分類して表示したものである。即ち、メインインデックス部２３は、「あ行」〜「わ行」までのいずれかを選択するための１０個の行ボタン２４を含む。ユーザは、希望する都道府県の頭文字が属する行に対応する行ボタン２４を押すことにより、その行に属する頭文字を有する都道府県の項目２２をリスト表示部２１に表示させることができる。即ち、メインインデックス部２３は、リスト表示部２１に表示させる項目２２を「あ行」、「か行」などの行単位で表示させるためのものである。
【００２４】
（サブインデックス部の表示）
図２（Ａ）の例は、住所検索において都道府県を選択するモードの初期画面を示している。リスト表示部２１には５０音順に都道府県の項目２２が表示されており、メインインデックス部２３に含まれる行ボタン２４は未だ押されていない状態である。この状態で、ユーザがメインインデックス部２３の「か行」の行ボタン２４を押した場合の表示画面を図２（Ｂ）に示す。図２（Ｂ）の表示画面では、ユーザが押したメインインデックス部２３の「か行」の行ボタン２４が、色や輝度の変更などにより、他の行ボタン２４と異なる形態で表示される。これに加えて、ユーザがメインインデックス部２３のいずれかの行ボタン２４を押すと、その行に対応するサブインデックス部２５が表示される。
【００２５】
サブインデックス部２５は、リスト表示部２１に表示させる項目２２を５０音の単位で変更するためのものであり、文字部２５ｃと、上ボタン２５ｕと、下ボタン２５ｄとを含む。文字部２５ｃは、リスト表示部２１に表示される複数の項目２２のうち、先頭（一番上）の項目２２の頭文字を示している。図２（Ｂ）の例では、ユーザがメインインデックス部２３の「か行」の行ボタン２４を押したため、サブインデックス部２５の文字部２５ｃには５０音の「か」が表示されている。同時に、リスト表示部２１には、頭文字「か」で始まる都道府県のリストが表示される。
【００２６】
以下の説明では、「あ」、「か」、「さ」、「た」、「な」など、メインインデックス部２３に表示される行単位の頭文字を「第１頭文字」と呼び、サブインデックス部２５に表示される５０音単位の頭文字を「第２頭文字」と呼ぶ。第２頭文字は、第１頭文字が示す行に属する頭文字であり、第１頭文字に対して従属的な関係にある。
【００２７】
ユーザは、サブインデックス部２５の上ボタン２５ｕ及び下ボタン２５ｄを押すことにより、サブインデックス部２５の文字部２５ｃに表示される第２頭文字を変更することができる。例えば、図２（Ｂ）に示すように、文字部２５ｃに第２頭文字「か」が表示された状態でユーザが上ボタン２５ｕを繰り返し押す又は押し続けると、文字部２５ｃに表示される第２頭文字は、「か」から「お」、「え」、「う」．．と、５０音の単位で「あ」に向かって順に変更される。逆に、文字部２５ｃに第２頭文字「か」が表示された状態でユーザが下ボタン２５ｄを繰り返し押す又は押し続けると、文字部２５ｃに表示される第２頭文字は、「か」から「き」、「く」、「け」．．と、５０音の単位で「ん」に向かって順に変更される。
【００２８】
上ボタン２５ｕ又は下ボタン２５ｄを押すことにより文字部２５ｃに表示されている第２頭文字が変更されると、それに伴ってリスト表示部２１に表示されている項目２２が変更される。例えば、図２（Ｂ）の状態でユーザが上ボタン２５ｕを１回押すと、図３（Ａ）に示すように第２頭文字は「お」に変更され、リスト表示部２１は「お」を頭文字とする「大分県」を先頭とするリストに変更される。一方、図２（Ｂ）の状態でユーザが下ボタン２５ｄを１回押すと、図３（Ｂ）に示すように第２頭文字は「き」に変更され、リスト表示部２１は「き」を頭文字とする「京都府」を先頭とするリストに変更される。
【００２９】
なお、ユーザがメインインデックス部２３のいずれかの行ボタン２４を押した場合に、その行の先頭の文字を頭文字として有する項目２２が存在しない場合には、リスト表示部２１の表示は変更されない。例えば、図２（Ｂ）の状態でユーザがメインインデックス部２３の「た」行の行ボタン２４を押した場合の表示例を図４（Ａ）に示す。図４（Ａ）に示すように、サブインデックス部２５の文字部２５ｃには「た」が表示されるが、「た」を頭文字とする都道府県は存在しないため、リスト表示部２１の表示内容は変化しない。
【００３０】
同様に、ユーザがサブインデックス部２５の上ボタン２５ｕ又は下ボタン２５ｄを押して文字部２５ｃに表示される第２頭文字が変更された場合も、その第２頭文字を頭文字として有する項目２２が存在しない場合には、リスト表示部２１の表示は変更されない。例えば、ユーザがメインインデックス部２３の操作ではなく、サブインデックス部２５の上ボタン２５ｕ又は下ボタン２５ｃを押して図４（Ａ）に示すようにサブインデックス部２５に第２頭文字「た」を表示させた場合でも、「た」を頭文字とする都道府県は存在しないのでリスト表示部２１の表示内容は変化しない。
【００３１】
一方、図４（Ａ）の状態で、ユーザがサブインデックス部２５の下ボタン２５ｄを押すと、文字部２５ｃに表示される第２頭文字は「ち」に変更される。この場合、リスト表示部２１は、「ち」を頭文字として有する「千葉県」を先頭とするリストに変更される。
【００３２】
なお、サブインデックス部２５を表示させる方法として、上記のようにメインインデックス部２３のいずれかの行ボタン２４を押す方法に加えて、リスト表示部２１内のいずれかの項目２２を長押しする方法を採用してもよい。例えば、図２（Ａ）に示す表示画面２０において、ユーザがリスト表示部２１内の「石川県」、「茨城県」、「岩手県」の項目２２のいずれかを長押しすると、図５に示すように、文字部２５ｃに第２頭文字「い」が表示されたサブインデックス部２５が表示される。なお、この場合、ユーザがリスト表示部２１に含まれる項目２２を普通に押した場合にはその項目２２の選択を意味し、ユーザが長押しを行った場合には上記のサブインデックス部２５の表示指示を意味するものとして、両者を区別する必要がある。
【００３３】
（サブインデックス部の消去）
サブインデックス部２５は、ユーザがリスト表示部２１に含まれるいずれかの項目２２を選択したときに消去される。サブインデックス部２５が消去されると、図２（Ａ）のように、リスト表示部２１とメインインデックス部２３とが表示された状態となる。
【００３４】
これに加えて、ユーザの操作によりリスト表示部２１が直接的にスクロールされたときには、サブインデックス部２５の表示を消去することとしてもよい。具体的には、ユーザがリスト表示部２１において上下方向にいわゆるフリック操作又はスワイプ操作を行い、表示内容を上下スクロールした場合には、サブインデックス部２５を消去する。これは、ユーザはスクロールにより直接的に目的の項目２２を表示させることができるので、サブインデックス部２５は不要と考えられるからである。なお、「フリック操作」とはタッチパネルに接触した指などをある方向に払ったり弾いたりするように動かす操作をいい、「スワイプ操作」とはタッチパネルに接触した指などを一定方向に掃くように動かす操作を言う。
【００３５】
［表示処理］
次に、表示装置１０による表示処理について説明する。図６は、表示処理のフローチャートである。この処理は、表示装置１０のＣＰＵ１１が、予め用意されたプログラムを実行して表示部１４及び入力部１５を制御することにより実施される。
【００３６】
まず、所定のアプリケーションの実行中において、ＣＰＵ１１は、メインインデックス部２３のいずれかの行ボタン２４が押されたか否かを判定する（ステップＳ１０）。行ボタン２４が押された場合（ステップＳ１０：Ｙｅｓ）、処理はステップＳ１２へ進む。一方、行ボタンが押されていない場合（ステップＳ１０：Ｎｏ）、ＣＰＵ１１は、リスト表示部２１のいずれかの項目２２が長押しされたか否かを判定する（ステップＳ１１）。いずれかの項目２２が長押しされていない場合（ステップＳ１１：Ｎｏ）、処理はステップＳ１０へ戻る。一方、いずれかの項目２２が長押しされた場合（ステップＳ１１：Ｙｅｓ）、処理はステップＳ１２へ進む。
【００３７】
ステップＳ１２では、ＣＰＵ１１は、サブインデックス部２５を表示する。次に、ＣＰＵ１１は、サブインデックス部２５の上ボタン２５ｕ又は下ボタン２５ｄが押されたか否かを判定する（ステップＳ１３）。上ボタン２５ｕ又は下ボタン２５ｄが押されていない場合（ステップＳ１３：Ｎｏ）、処理はステップＳ１５へ進む。一方、上ボタン２５ｕ又は下ボタン２５ｄが押された場合（ステップＳ１３：Ｙｅｓ）、ＣＰＵ１１は、それに応じてサブインデックス部２５の文字部２５ｃに表示された第２頭文字を変更するとともに、リスト表示部２１に表示されている項目２２を変更する（ステップＳ１４）。
【００３８】
次に、ＣＰＵ１１は、リスト表示部２１に表示されているいずれかの項目２２がユーザにより選択されたか否かを判定する（ステップＳ１５）。項目２２が選択されていない場合（ステップＳ１５：Ｎｏ）、処理はステップＳ１３へ戻る。一方、いずれかの項目２２が選択された場合（ステップＳ１５：Ｙｅｓ）、ＣＰＵ１１はサブインデックス部２５を消去し（ステップＳ１６）、選択された項目２２の詳細情報を表示する（ステップＳ１７）。そして、表示処理は終了する。
【００３９】
［変形例］
上記の実施例では、サブインデックス部２５の上ボタン２５ｕ又は下ボタン２５ｄを押すことにより、サブインデックス部２５の文字部２５ｃに表示される第２頭文字を変更している。これに加えて、メインインデックス部２３の行ボタン２４を長押しすることによって、サブインデックス部２５の文字部２５ｃに表示される第２頭文字を順に変更できるようにしてもよい。例えば、ユーザがメインインデックス部２３の「た行」の行ボタン２４を押すと、表示画面２０は図４（Ａ）のように変化するが、その後、ユーザが「た行」の行ボタン２４を押し続けると、サブインデックス部２５の文字部２５ｃの文字は「ち」、「つ」、「て」、．．と変化し、それに伴ってリスト表示部２１に表示される項目２２のリストも変更される。
【００４０】
この長押しを利用することにより、ユーザはより迅速に目的の文字に到達することができる。例えば、頭文字「と」を有する都道府県をリスト表示部２１に表示させたい場合、上記の長押しの機能を利用しないこととすると、ユーザは、メインインデックス部２３の「た行」の行ボタン２４を押して、第２頭文字として「た」が表示されたサブインデックス部２５を表示させた後、さらにサブインデックス部２５の下ボタン２５ｄを繰り返し押して第２頭文字「と」を表示させる必要がある。これに対し、上記の長押しの機能を利用すれば、ユーザはメインインデックス部２３の「た行」の行ボタン２４を押した後、そのまま長押しを行い、サブインデックス部２５の第２頭文字が「た」から順に変更されて「と」になったときに長押しを解除すればよい。
【符号の説明】
【００４１】
１０  表示装置
１１  ＣＰＵ
１４  表示部
１５  入力部
２０  表示画面
２１  リスト表示部
２３  メインインデックス部
２５  サブインデックス部
【図１】
2017156833.tif 000003
【図２】
2017156833.tif 000004
【図３】
2017156833.tif 000005
【図４】
2017156833.tif 000006
【図５】
2017156833.tif 000007
【図６】
2017156833.tif 000008